(57)【要約】【課題】  不要時に小さく折畳んで適当な場所に収納しておくことができるようにする。使用のための操作を容易にする。【解決手段】  強靱な布材により人の少なくとも首から膝までを腰掛け姿勢で収容することのできる袋体１からなり、袋体１の開口部２の縁辺に袋体１に収容された人を移動させる作業に携わる関係者が手を差込み袋体１の一部を掴むための窓４が開口されている。【選択図】図１
2009011779.tif 000002
【特許請求の範囲】
【請求項１】
強靱な布材により人の少なくとも首から膝までを腰掛け姿勢で収容することのできる袋体からなり、袋体の開口部の縁辺に袋体に収容された人を移動させる作業に携わる関係者が手を差込み袋体の一部を掴むための窓が開口されている搬送用具。
【請求項２】
請求項１の搬送用具において、窓は少なくとも間隔を介して４個設けられていることを特徴とする搬送用具。
【請求項３】
請求項１または２の搬送用具において、袋体は開口部から内部に向けて横幅が拡開する奥広がりの形状であることを特徴とする搬送用具。
【請求項４】
請求項１〜３のいずれかの搬送用具において、袋体は開口部に沿った縁辺に補強布が取付けられていることを特徴とする搬送用具。
【請求項５】
請求項４の搬送用具において、補強布は棒材を挿通可能な筒形に形成されていることを特徴とする搬送用具。
【請求項６】
請求項１〜６のいずれかの搬送用具において、袋体は開口部の拡開を阻止するためのベルトが設けられていることを特徴とする搬送用具。
【発明の詳細な説明】
【技術分野】
【０００１】  本発明は、主に人を腰掛け姿勢のまま移動させる搬送用具に係る技術分野に属する。
【背景技術】
【０００２】  最近、緊急時に怪我人等を移動させるものとして、強化繊維が織込まれた強靱な布により形成されたシート状の担架が提供されてきている。シート状の担架は、不要時に小さく折畳んで適当な場所に収納しておけるため利便性が高いものの、人を横たわらせた伸身状態で移動させることから、怪我人ではない高齢者や身体障害者の移動には不向きである。怪我人ではない高齢者や身体障害者の移動には、担架の代用として腰掛けた椅子等がよく使用されている。即ち、移動される人にとっては、腰掛け姿勢の方が楽なことが多いためである。【０００３】  このため、シート状の担架の利便性を保持し、しかも人を腰掛け姿勢のまま移動させることのできる搬送用具の開発が要望されている。【０００４】  従来、シート状の担架の利便性を保持して人を腰掛け姿勢のまま移動させることのできる搬送用具としては、例えば、以下に記載のものが知られている。
【特許文献１】  実用新案登録第３０６９５９１号公報  特許文献１には、人が載せられるシート状の本体部と、本体部を椅子形に屈曲させた形状に保形するベルトとからなる搬送用具が記載されている。
【発明の開示】
【発明が解決しようとする課題】
【０００５】  特許文献１に係る搬送用具では、不要時に小さく折畳んで適当な場所に収納しておけるという利便性が保持されるものの、ベルトを用いて本体部を椅子形に屈曲させる組立作業が要求されるため、使用のための操作が面倒であるという問題点がある。【０００６】  本発明は、このような問題点を考慮してなされたもので、不要時に小さく折畳んで適当な場所に収納しておくことができるとともに、使用のための操作が容易な搬送用具を提供することを課題とする。
【課題を解決するための手段】
【０００７】  前述の課題を解決するため、本発明に係る搬送用具は、特許請求の範囲の各請求項に記載の手段を採用する。【０００８】  即ち、請求項１では、強靱な布材により人の少なくとも首から膝までを腰掛け姿勢で収容することのできる袋体からなり、袋体の開口部の縁辺に袋体に収容された人を移動させる作業に携わる関係者が手を差込み袋体の一部を掴むための窓が開口されている。【０００９】  この手段では、シート状ではなく人の少なくとも首から膝までを腰掛け姿勢で収容することのできる袋体とすることで、組立作業を不要にしている。また、袋体を強靱な布材で形成することで、固定的な形状となることを避けている。【００１０】  また、請求項２では、請求項１の搬送用具において、窓は少なくとも間隔を介して４個設けられていることを特徴とする。【００１１】  この手段では、間隔を介して窓を４個設けることで、関係者２人が両手で袋体の一部を掴んで人を移動させることができる。【００１２】  また、請求項３では、請求項１または２の搬送用具において、袋体は開口部から内部に向けて横幅が拡開する奥広がりの形状であることを特徴とする。【００１３】  この手段では、袋体を奥広がりの形状とすることで、袋体に収容された人を内部に閉込めるような格好となる。【００１４】  即ち、請求項４では、請求項１〜３のいずれかの搬送用具において、袋体は開口部に沿った縁辺に補強布が取付けられていることを特徴とする。【００１５】  この手段では、袋体の開口部の縁辺に補強布が設けられることで、収容された人の荷重による袋体の開口部の縁辺の破損が防止される。【００１６】  また、請求項５では、請求項４の搬送用具において、補強布は棒材を挿通可能な筒形に形成されていることを特徴とする。【００１７】  この手段では、補強布が筒形に形成されることで、棒材を挿入して人が収容された袋体を支持することができる。【００１８】  また、請求項６では、請求項１〜６のいずれかの搬送用具において、袋体は開口部の拡開を阻止するためのベルトが設けられていることを特徴とする。【００１９】  この手段では、袋体の開口部にベルトが設けられることで、袋体の開口部の拡開が阻止される。
【発明の効果】
【００２０】  本発明に係る搬送用具は、シート状ではなく人の少なくとも首から膝までを腰掛け姿勢で収容することのできる袋体とすることで、組立作業を不要にしているため、使用のための操作が容易である効果がある。また、袋体を強靱な布材で形成することで、固定的な形状となることを避けているため、不要時に小さく折畳んで適当な場所に収納しておくことができる効果がある。【００２１】  さらに、請求項２として、間隔を介して窓を４個設けることで、関係者２人が両手で袋体の一部を掴んで人を移動させることができるため、少ない関係者て人を安定的に移動させることができる効果がある。【００２２】  さらに、請求項３として、袋体を奥広がりの形状とすることで、袋体に収容された人を内部に閉込めるような格好となるため、移動の際に人が袋体から転落するおそれがなくなって安全性が高くなる効果がある。【００２３】  さらに、請求項４として、袋体の開口部の縁辺に補強布が設けられることで、収容された人の荷重による袋体の開口部の縁辺の破損が防止されるため、袋体が強化される効果がある。【００２４】  さらに、請求項５として、補強布が筒形に形成されることで、棒材を挿入して人が収容された袋体を支持することができるため、多数の関係者での人の移動に好適となる効果がある。【００２５】  さらに、請求項６として、袋体の開口部にベルトが設けられることで、袋体の開口部の拡開が阻止されるため、移動の際に人が袋体から転落するおそれがなくなって安全性が高くなる効果がある。
【発明を実施するための最良の形態】
【００２６】  以下、本発明に係る搬送用具を実施するための最良の形態を図面に基づいて説明する。【００２７】  図１〜図４は、本発明に係る搬送用具を実施するための最良の形態の第１例を示すものである。【００２８】  第１例は、移動させる人Ａ収容するための袋体１を主要部として構成されている。【００２９】  袋体１は、強化繊維が織込まれる等した強靱な布材で形成され、座面１１，背もたれ面１２，両側面１３によって、人Ａの少なくとも首から膝までを腰掛け姿勢で収容することのできる容積を囲んでいる。なお、座面１１，背もたれ面１２は、共通の連続した布材とされている。座面１１，背もたれ面１２座面１１，背もたれ面１２袋体１の開口部２は、図１に示すように、座面１１，背もたれ面１２，両側面１３に縁辺によって縦長のほぼ方形に展開される。ただし、座面１１，背もたれ面１２，両側面１３が布材の縫着等で連結されていることから、開口部２が常に方形に保形されているということではない。座面１１，背もたれ面１２の角度ｘは、９０度以上に設定されている。両側面１３は、内部へ向けて角度ｙ，ｚで広がるように傾斜されている。従って、袋体１は、開口部２から内部に向けて横幅ａ，ｂが拡開する奥広がりの形状となっている。【００３０】  袋体１の開口部２の縁辺には、帯形の布材が重ね縫着される等して、補強布３が取付けられている。補強布３は、前述の開口部２の方形の展開のくせ付けをしている。【００３１】  袋体１の開口部２の両側面１３の補強布３には、長さ調整可能なバックル付きのバンドが取付けられている。【００３２】  袋体１の開口部２の両側面１３の補強布３近くには、間隔を介して片側２個で両側４個の窓４は開口されている。この窓４は、手を差込んで補強布３を握ることのできる大きさに設定されている。【００３３】  第１例によると、図２に示すように、移動される人Ａが袋体１の内部に首から膝まで収容されて、伸身ではなく腰掛け姿勢をとることができる。従って、人Ａに窮屈な姿勢を強いることにはならない。そして、前述の横幅ａ，ｂの関係から袋体１が奥広がりの形状であるため、袋体１に収容された人Ａを内部に閉込めるような格好となる。【００３４】  人Ａを移動させるには、図３に示すように、袋体１の両側面１３横に移動させる作業に携わる関係者Ｂが対面して２名が配置され、関係者Ｂが両手で窓４を介して補強布３を握って開口部２を上向きにした袋体１とともに人Ａを持上げることになる。従って、少ない関係者Ｂで人Ａを安定的に移動させることができる。このとき、移動される人Ａが特別に窮屈に感じるようなことはない。また、補強布３によって袋体１が強化されているため、収容された人Ａの荷重による袋体１の開口部２の縁辺の破損が防止される。【００３５】  図３に示す移動では、袋体１の形状から人Ａが内部に閉込められたような格好となっているため、人Ａが袋体１から転落するおそれがなく高い安全性が確保される。また、バンド５を連結して開口部２が拡開されるのを阻止することで、より高い安全性を確保することができる。【００３６】  なお、移動される人Ａが腰掛け姿勢で足先から頭までの長さが短くなっているため、持上げた関係者Ｂとともに狭いエレベータの内部等にもそ��まま入ることができ、階段の上下の移動も容易となる。【００３７】  第１例は、主要部である袋体１が布材であるため、不要時に小さく折畳んで適当な場所に収納しておくことができる。そして、必要時には、袋体１を展開させるだけで特別な組立作業が不要であるため、使用のための操作が容易である。【００３８】  なお、第１例については、図４に示すように、不要時に収納せずに車椅子Ｃの座席の座部，背もたれ部に袋体１を裏返すようにしてカバー材等として使用することもできる。このとき、バンド５を車椅子Ｃの座席の背もたれ部に回して連結することにより、車椅子Ｃに確実にセットして不測の離脱を阻止することができる。【００３９】  図４に示した使用例によると、車椅子Ｃの使用者（人Ａ）が車椅子Ｃから降りて移動しなければならないときに、袋体１をそのまま表返して使用者に被せるようにして使用者を内部に収容して前述の移動を実行することができる。【００４０】  図５は、本発明に係る搬送用具を実施するための最良の形態の第２例を示すものである。【００４１】  第２例は、第１例の補強布５を棒材６を挿通可能な筒形としてある。【００４２】  第２例によると、棒材５を補強布５に挿通して人Ａが収容された袋体１を支持することができるため、多数の関係者での人Ａの移動に好適となる。【００４３】  以上、図示した各例の外に、袋部１を人Ａの頭から脹脛まで収容する大きさとすることもできる。
【産業上の利用可能性】
【００４４】  本発明に係る搬送用具は、人以外の物品等の移動に使用することも可能である。
【図面の簡単な説明】
【００４５】
【図１】  本発明に係る搬送用具を実施するための最良の形態の第１例の斜視図である。
【図２】  図１により移動される人の姿勢を示す簡略図であり、（Ａ）に側面図が示され、（Ｂ）に正面図が示されている。
【図３】  図１の簡略化した使用状態図である。
【図４】  図１の収納例を示す図である。
【図５】  本発明に係る搬送用具を実施するための最良の形態の第２例の斜視図である。
【符号の説明】
【００４６】  １            袋部
２            開口部
３            補強布
４            窓
５            バンド
６            棒材
Ａ            人（移動される）
Ｂ            関係者
【図１】
2009011779.tif 000003
【図２】
2009011779.tif 000004
【図３】
2009011779.tif 000005
【図４】
2009011779.tif 000006
【図５】
2009011779.tif 000007